(57)【特許請求の範囲】
【請求項１】
容器体の口部に上方付勢状態で立設されるステムと、
第１天壁部、第１天壁部から下方に向けて延設されて内部に前記ステムが嵌合された嵌合筒部、および第１天壁部から下方に向けて延設されて嵌合筒部をその径方向外方から囲繞する囲繞筒部を備えるとともに、ノズル孔が形成された押下ヘッドと、
前記ステムが上下動自在に挿入された挿通孔を有する第２天壁部、および第２天壁部の外周縁から下方に向けて延設された装着周壁部を備え、容器体の口部に装着される装着キャップと、が備えられ、
前記押下ヘッドをステムとともに押し下げることにより、容器体内の液体を前記ステムの内部を通してノズル孔から吐出する構成とされた吐出器であって、
前記装着キャップの第２天壁部に、前記挿通孔および前記囲繞筒部よりも大径でかつ装着周壁部よりも小径の被挟持筒部が上方に向けて延設されるとともに、この被挟持筒部の上端に、径方向外方に向けて支持板が突設され、
前記押下ヘッドおよびステムがその上昇端位置に位置した状態で、前記囲繞筒部の下端縁は支持板よりも上方に位置するとともに、この支持板の上面に板状のストッパが離脱可能に配置され、このストッパの上面に前記囲繞筒部の下端縁が当接若しくは上下方向で対向していることを特徴とする吐出器。
【請求項２】
請求項１記載の吐出器であって、
前記第２天壁部において挿通孔の外周縁部には上方に向けてガイド筒部が延設されるとともに、このガイド筒部の上部は支持板の上面から上方に突出し、前記ストッパには嵌合孔が形成され、
前記押下ヘッドおよびステムがその上昇端位置に位置した状態で、
前記ガイド筒部の上端部における外側と、前記囲繞筒部の下端部における内側とが近接若しくは当接するとともに、
前記嵌合孔に、前記ガイド筒部の上部において前記囲繞筒部の下端部における内側と近接若しくは当接した上端部よりも下方に位置する部分の外周面が離脱可能に嵌合されていることを特徴とする吐出器。
【請求項３】
請求項２記載の吐出器であって、
前記ストッパには、前記嵌合孔から径方向外方に向けて延在し当該ストッパの外周縁に開口する通過孔が形成されるとともに、このストッパの外周縁において前記通過孔が開口した部分の、当該ストッパの径方向で前記嵌合孔を挟んだ反対側には、当該ストッパの周方向に沿って延びる補強周壁が連結されていることを特徴とする吐出器。
【請求項４】
請求項１から３のいずれかに記載の吐出器であって、
前記第２天壁部、装着周壁部、被挟持筒部および支持板は一体に形成されるとともに、前記被挟持筒部において第２天壁部に連なる下端部に貫通孔が形成されていることを特徴とする吐出器。
【請求項５】
請求項１から４のいずれかに記載の吐出器であって、
前記押下ヘッドおよびステムに連係した液用ピストンが内部を上下方向に摺動する液用シリンダと、
前記押下ヘッドに連係した空気用ピストンが内部を上下方向に摺動するとともに、前記装着キャップの内側に取り付けられた空気用シリンダと、
前記液用シリンダからの液体と空気用シリンダからの空気とが合流する気液混合室と、
前記ノズル孔と気液混合室との間に設置された発泡部材と、を備え、
容器体の口部に装着した状態で前記押下ヘッドを押し下げて液用シリンダ内の液体および空気用シリンダ内の空気を加圧することにより、これらの液体および空気を、気液混合室に移送して合流させ発泡部材を通して発泡させて前記ノズル孔から吐出する構成とされたことを特徴とする吐出器。
【発明の詳細な説明】
【技術分野】
【０００１】
本発明は吐出器に関するものである。
【背景技術】
【０００２】
この種の吐出器として、従来から、容器体の口部に上方付勢状態で立設されるステムと、第１天壁部、第１天壁部から下方に向けて延設されて内部に前記ステムが嵌合された嵌合筒部、および第１天壁部から下方に向けて延設されて嵌合筒部をその径方向外方から囲繞する囲繞筒部を備えるとともに、ノズル孔が形成された押下ヘッドと、ステムが上下動自在に挿入された挿通孔を有する第２天壁部、および第２天壁部の外周縁から下方に向けて延設された装着周壁部を備え、容器体の口部に装着される装着キャップと、が備えられ、前記押下ヘッドをステムとともに押し下げることにより、容器体内の液体を前記ステムの内部を通してノズル孔から吐出する構成が知られている。
この吐出器においては一般に、その使用に際し、一方の手のひらをノズル孔の開口部にその下側から添えつつ、他方の手で押下ヘッドを押し下げて、一方の手のひらでノズル孔から吐出された容器体内の液体を受けているが、近年では、片手だけを用いて押下ヘッドを押し下げかつノズル孔から吐出された液体を受けられる構成が提案されている。
この構成として、例えば下記特許文献１に示されるような、装着キャップの装着周壁部に径方向外方に向けて支持板を突設した構成が知られている。
【特許文献１】特開２００３−１６５５９１号公報
【特許文献２】特許第３６４７５７４号公報
【発明の開示】
【発明が解決しようとする課題】
【０００３】
しかしながら、前記従来の吐出器では、装着キャップの装着周壁部に支持板を突設していたので、支持板の出っ張り量が大きくなり、例えば搬送時に支持板同士が引っ掛かったり、あるいは店頭での陳列時に占有スペースが嵩張ったりする等、取り扱い性が低下するおそれがあった。さらにこのように支持板の出っ張り量が大きくなると、この吐出器の装着された容器が把持し難くなるので、装着キャップの外径を小さくして、この容器の把持のし易さを確保しなければならなくなり、例えば吐出容量等といった吐出器の性能上、さらにはデザイン上の制約が生ずるおそれもあった。
ここで、従来から、需要者が容器体内の液体を使用する前の段階で、例えば押下ヘッドが不用意に押し下げられる等して液体が吐出されるのを防止するために、例えば上記特許文献２に示されるような、押下ヘッドにおける囲繞筒部の下端縁と装着キャップとの間に、ストッパ筒部を離脱可能に介装する構成が提案されているが、この場合、ストッパ筒部が設けられた分、吐出器全体の上下方向における長さが大きくなるという問題があった。
【０００４】
本発明は、このような事情を考慮してなされたもので、支持板の出っ張り量を抑えつつ、片手だけを用いて押下ヘッドを押し下げかつノズル孔から吐出された液体を受けることができるとともに、吐出器の上下方向における長さが大きくなるのを抑制しつつ、需要者が容器体内の液体を使用する前の段階で、例えば押下ヘッドが不用意に押し下げられる等して液体が吐出されるのを防止することができる吐出器を提供することを目的とする。
【課題を解決するための手段】
【０００５】
上記課題を解決して、このような目的を達成するために、本発明の吐出器は、容器体の口部に上方付勢状態で立設されるステムと、第１天壁部、第１天壁部から下方に向けて延設されて内部に前記ステムが嵌合された嵌合筒部、および第１天壁部から下方に向けて延設されて嵌合筒部をその径方向外方から囲繞する囲繞筒部を備えるとともに、ノズル孔が形成された押下ヘッドと、前記ステムが上下動自在に挿入された挿通孔を有する第２天壁部、および第２天壁部の外周縁から下方に向けて延設された装着周壁部を備え、容器体の口部に装着される装着キャップと、が備えられ、前記押下ヘッドをステムとともに押し下げることにより、容器体内の液体を前記ステムの内部を通してノズル孔から吐出する構成とされた吐出器であって、前記装着キャップの第２天壁部に、前記挿通孔および前記囲繞筒部よりも大径でかつ装着周壁部よりも小径の被挟持筒部が上方に向けて延設されるとともに、この被挟持筒部の上端に、径方向外方に向けて支持板が突設され、前記押下ヘッドおよびステムがその上昇端位置に位置した状態で、前記囲繞筒部の下端縁は支持板よりも上方に位置するとともに、この支持板の上面に板状のストッパが離脱可能に配置され、このストッパの上面に前記囲繞筒部の下端縁が当接若しくは上下方向で対向していることを特徴とする。
この発明では、装着キャップの第２天壁部に被挟持筒部が立設されるとともに、この被挟持筒部の上端に径方向外方に向けて支持板が突設されているので、例えば一方の手のひらをノズル孔の開口部にその下側から添えつつ、その手の中指と人指し指、または薬指と中指等で被挟持筒部をその径方向に挟み込んだ状態で、この手を上昇させると、前記中指と人指し指、または薬指と中指等により支持板がその下面側から支持されることによって、当該吐出器の装着された容器体が持ち上げられることになる。さらにこの状態で、前記一方の手の親指で押下ヘッドを押し下げることにより、ノズル孔から吐出された容器体内の液体が前記一方の手のひらで受け止められる。
以上より、片手だけを用いて押下ヘッドを押し下げかつノズル孔から吐出された液体を受けることができる。
さらに、被挟持筒部が装着周壁部よりも小径に形成され、この被挟持筒部の上端に支持板が設けられているので、支持板が装着周壁部よりも径方向外側に大きく出っ張るのを抑えることが可能になり、前述の作用効果を奏する吐出器の取り扱い性が低下するのを防ぐことができる。
さらにまた、被挟持筒部が装着周壁部よりも小径に形成されていることから、需要者の手の大小を問わず、前述のようにして中指と人指し指、または薬指と中指等で被挟持筒部をその径方向に強固かつ確実に挟み込むことが可能になる。
また、押下ヘッドおよびステムがその上昇端位置に位置した状態で、囲繞筒部の下端縁が支持板よりも上方に位置するとともに、支持板の上面にストッパが離脱可能に配置され、このストッパの上面に前記囲繞筒部の下端縁が当接若しくは上下方向で対向しているので、需要者が容器体内の液体を使用する前の段階で、押下ヘッドに下方に向けた外力が作用しても、この押下ヘッドにおける囲繞筒部の下端縁をストッパの上面に当接させることが可能になり、この押下ヘッドが不用意に押し下げられ液体が吐出されるのを防ぐことができる。
しかも、前記ストッパが板状に形成されているので、このストッパを設けたことにより吐出器全体の上下方向における長さが大きくなるのを抑制することができる。
【０００６】
ここで、前記第２天壁部において挿通孔の外周縁部には上方に向けてガイド筒部が延設されるとともに、このガイド筒部の上部は支持板の上面から上方に突出し、前記ストッパには嵌合孔が形成され、前記押下ヘッドおよびステムがその上昇端位置に位置した状態で、前記ガイド筒部の上端部における外側と、前記囲繞筒部の下端部における内側とが近接若しくは当接するとともに、前記嵌合孔に、前記ガイド筒部の上部において前記囲繞筒部の下端部における内側と近接若しくは当接した上端部よりも下方に位置する部分の外周面が離脱可能に嵌合されてもよい。
この場合、ガイド筒部の上端部における外側と、囲繞筒部の下端部における内側とが近接若しくは当接しているので、押下ヘッドおよびステムがその上昇端位置に位置した状態で、ガイド筒部と囲繞筒部との間を通して外部から例えば水等が侵入するのを抑制することが可能になる。
また、ストッパの嵌合孔に、ガイド筒部の上部において囲繞筒部の下端部における内側と近接若しくは当接した上端部よりも下方に位置する部分の外周面が離脱可能に嵌合されているので、このストッパを支持板の上面にぐらつかせることなく安定して配置することが可能になり、需要者が容器体内の液体を使用する前の段階で、不用意にストッパが吐出器から外れるのを防ぐことができる。
【０００７】
また、前記ストッパには、前記嵌合孔から径方向外方に向けて延在し当該ストッパの外周縁に開口する通過孔が形成されるとともに、このストッパの外周縁において前記通過孔が開口した部分の、当該ストッパの径方向で前記嵌合孔を挟んだ反対側には、当該ストッパの周方向に沿って延びる補強周壁が連結されてもよい。
この場合、板状に形成されたストッパに嵌合孔および通過孔が形成されているので、このストッパをガイド筒部に対して容易に着脱することができる。
また、ストッパの外周縁において通過孔が開口した部分の、当該ストッパの径方向で嵌合孔を挟んだ反対側に、当該ストッパの周方向に沿って延びる補強周壁が連結されているので、この補強周壁をつまんでストッパをガイド筒部の外周面に対して進退移動させることによって、当該ストッパの着脱を容易に行うことが可能になる。
以上より、操作性の優れたストッパが得られる。
【０００８】
さらに、前記第２天壁部、装着周壁部、被挟持筒部および支持板は一体に形成されるとともに、前記被挟持筒部において第２天壁部に連なる下端部に貫通孔が形成されてもよい。
この場合、第２天壁部、装着周壁部、被挟持筒部および支持板が一体に形成されているので、この吐出器が高コストになるのを抑えることができる。
さらに、被挟持筒部において第２天壁部に連なる下端部に貫通孔が形成されているので、被挟持筒部に支持板を設けたことにより、この支持板の上面を介して、装着キャップにおいて被挟持筒部よりも内側の空間内に例えば水等が侵入し易くなったとしても、この侵入物を前記貫通孔を通して外部に排出し易くすることが可能になる。また、このように貫通孔が形成されていることから装着キャップを形成する材料の使用量を低減することも可能になる。
【０００９】
なお、この構成において、前記貫通孔は、被挟持筒部の下端部にその周方向に間隔をあけて複数形成されるとともに、前記第２天壁部の上面は、その径方向中央部側から外側に向かうに従い漸次下方に向けて傾斜してもよい。
この場合、貫通孔が被挟持筒部の下端部にその周方向に間隔をあけて複数形成されるとともに、第２天壁部の上面が、その径方向中央部側から外側に向かうに従い漸次下方に向けて傾斜しているので、前述の侵入物を確実に前記空間内から外部に排出し易くすることができる。
【００１０】
さらに、第２天壁部、装着周壁部、被挟持筒部および支持板さらには前記ガイド筒部が一体に形成された構成においては、ガイド筒部の上端部外周面にリング部材を嵌合し、このリング部材を、囲繞筒部の下端部における内側に近接若しくは当接させるようにしてもよい。
この場合、第２天壁部、装着周壁部、被挟持筒部、支持板および前記ガイド筒部が一体に形成されるとともに、リング部材がガイド筒部の上端部外周面に嵌合されてガイド筒部と一体に形成されていないので、装着キャップを金型内に樹脂を供給して成形する場合に、この金型の構造が複雑になるのを防ぐことができる。
【００１１】
また、前記押下ヘッドおよびステムに連係した液用ピストンが内部を上下方向に摺動する液用シリンダと、前記押下ヘッドに連係した空気用ピストンが内部を上下方向に摺動するとともに、前記装着キャップの内側に取り付けられた空気用シリンダと、前記液用シリンダからの液体と空気用シリンダからの空気とが合流する気液混合室と、前記ノズル孔と気液混合室との間に設置された発泡部材と、を備え、容器体の口部に装着した状態で前記押下ヘッドを押し下げて液用シリンダ内の液体および空気用シリンダ内の空気を加圧することにより、これらの液体および空気を、気液混合室に移送して合流させ発泡部材を通して発泡させて前記ノズル孔から吐出する構成とされてもよい。
この場合、液用ピストンおよび液用シリンダのみならず空気用ピストンおよび空気用シリンダをも備えているので、装着キャップの装着周壁部を大径にしなければならないため、前述の作用効果のうち、支持板の出っ張り量を抑える効果、および需要者の手の大小を問わず中指と人指し指、または薬指と中指等で被挟持筒部をその径方向に強固かつ確実に挟み込ませる効果が顕著に奏功されることになる。
【発明の効果】
【００１２】
この発明に係る吐出器によれば、支持板の出っ張り量を抑えつつ、片手だけを用いて押下ヘッドを押し下げかつノズル孔から吐出された液体を受けることができるとともに、吐出器の上下方向における長さが大きくなるのを抑制しつつ、需要者が容器体内の液体を使用する前の段階で、例えば押下ヘッドが不用意に押し下げられる等して液体が吐出されるのを防止することができる。
【発明を実施するための最良の形態】
【００１３】
以下、図面を参照し、この発明の実施の形態について説明する。この実施形態に係る吐出器１０には、図示されない容器体の口部に上方付勢状態で立設されるステム１１と、第１天壁部１３、第１天壁部１３から下方に向けて延設されて内部にステム１１が嵌合された嵌合筒部１４、および第１天壁部１３から下方に向けて延設されて嵌合筒部１４をその径方向外方から囲繞する囲繞筒部２７を備えるとともに、ノズル孔１２が形成された押下ヘッド１５と、ステム１１が上下動自在に挿入された挿通孔１９ａを有する第２天壁部１７、および第２天壁部１７の外周縁から下方に向けて延設された装着周壁部１８を備え、容器体の口部に装着される装着キャップ２０と、が備えられている。
【００１４】
本実施形態では、第２天壁部１７において挿通孔１９ａの外周縁部には上方に向けてガイド筒部１９が延設されており、このガイド筒部１９の内側および挿通孔１９ａ内に、内部にステム１１が嵌合された嵌合筒部１４が上下動自在に挿入されている。なお、挿通孔１９ａの内径はガイド筒部１９の内径と同等になっている。
また、吐出器１０には、押下ヘッド１５およびステム１１に連係した液用ピストン２１と、内部をこの液用ピストン２１が上下方向に摺動する液用シリンダ２２と、押下ヘッド１５に連係した空気用ピストン２３が内部を上下方向に摺動するとともに、装着キャップ２０の内側に取り付けられた空気用シリンダ２４と、液用シリンダ２２からの液体と空気用シリンダ２４からの空気とが合流する気液混合室２５と、ノズル孔１２と気液混合室２５との間に設置された発泡部材２６と、が備えられている。
【００１５】
そして、以上の吐出器１０を、図示されない容器体の口部に装着した状態で押下ヘッド１５をステム１１とともに押し下げて液用シリンダ２２内の液体および空気用シリンダ２４内の空気を加圧することにより、これらの液体および空気を、気液混合室２５に移送して合流させ発泡部材２６を通して発泡させてノズル孔１２から吐出するようになっている。
なお、以上のステム１１、押下ヘッド１５、装着キャップ２０、液用ピストン２１、液用シリンダ２２、空気用ピストン２３、空気用シリンダ２４および発泡部材２６は全て、筒状体とされるとともに、共通軸と同軸上に位置させられて吐出器１０に備えられている。
【００１６】
ここで、押下ヘッド１５の第１天壁部１３の外周縁部には下方に向けて環状凸部２８が突設されている。また、第１天壁部１３の下面には、その径方向に沿って延在し囲繞筒部２７および環状凸部２８を貫通するノズル筒部２９が設けられており、このノズル筒部２９の一端開口部は嵌合筒部１４の内部に開口し、他端開口部は環状凸部２８よりも径方向外方に位置させられて前述のノズル孔１２となっている。
【００１７】
さらに、囲繞筒部２７の下端部は、嵌合筒部１４の下端部よりも上方に位置し、かつ押下ヘッド１５およびステム１１が上昇端位置に位置した状態で、径方向内側で装着キャップ２０のガイド筒部１９の上端部と対向している。
そして、本実施形態では、ガイド筒部１９の上端部外周面には、リング部材３５が嵌合されている。図示の例では、ガイド筒部１９の外周面において上端部には他の部分よりも小径になるように第１環状凹部が形成されており、リング部材３５はこのガイド筒部１９の上端部外周面に下側から支持された状態で嵌合している。さらに、このリング部材３５は、ガイド筒部１９における前記他の部分の外周面よりも径方向外方に突出している。
【００１８】
また、押下ヘッド１５の囲繞筒部２７の下端部内周面には、筒部材３２が嵌合されている。図示の例では、囲繞筒部２７の内周面において下端部には他の部分よりも大径になるように第２環状凹部が形成されており、筒部材３２はこの囲繞筒部２７の下端部内周面に上側から支持された状態で嵌合している。さらに、この筒部材３２は、囲繞筒部２７における前記他の部分の内周面よりも径方向内方に突出し、かつ囲繞筒部２７の下端縁を覆っている。
【００１９】
以上より、押下ヘッド１５およびステム１１がその上昇端位置に位置した状態で、リング部材３５が筒部材３２（囲繞筒部の下端部における内側）に近接若しくは当接するようになっている。なお、リング部材３５および筒部材３２を形成する各材質としては、例えば、ポリオレフィン、ポリエステルなどの一般的な合成樹脂や、オレフィン系、スチレン系、若しくはポリエステル系等の熱可塑性のエラストマ材料などのゴム状弾性体等が挙げられる。
【００２０】
そして、本実施形態では、装着キャップ２０の第２天壁部１７に、挿通孔１９ａ、ガイド筒部１９および囲繞筒部２７よりも大径でかつ装着周壁部１８よりも小径の被挟持筒部３０が上方に向けて延設されるとともに、この被挟持筒部３０の上端に、径方向外方に向けて支持板３１が突設されている。
図示の例では、支持板３１はフランジ状に形成され、被挟持筒部３０の上端にその全周にわたって突設されるとともに、水平方向に沿って延びている。また、支持板３１の外径は、装着周壁部１８の外径と同等になっている。さらに、支持板３１の外周縁は、ノズル孔１２よりも径方向内方に位置している。
以上の第２天壁部１７、装着周壁部１８、ガイド筒部１９、被挟持筒部３０および支持板３１は同一の材質で一体に形成されている。
【００２１】
また、被挟持筒部３０は、押下ヘッド１５の囲繞筒部２７よりも径方向外方に位置しており、押下ヘッド１５を押し下げた際、囲繞筒部２７が装着キャップ２０のガイド筒部１９と被挟持筒部３０との間に進入するようになっている。そして、押下ヘッド１５およびステム１１がその上昇端位置に位置した状態で、囲繞筒部２７の下端縁は支持板３１の上面よりも上方に位置している。
【００２２】
さらに、本実施形態では、支持板３１の上面に板状のストッパ３３が離脱可能に配置され、このストッパ３３の上面に囲繞筒部２７の下端縁が筒部材３２を介して当接している。また、図示の例では、ストッパ３３には、その径方向中央部に形成された嵌合孔３３ａと、この嵌合孔３３ａから径方向外方に向けて延在し当該ストッパ３３の外周縁に開口する通過孔３３ｂと、嵌合孔３３ａから通過孔３３ｂが延在する方向と反対方向に向けて延在し当該ストッパ３３の外周縁よりも径方向内方で終端する補助孔３３ｃと、が形成されて、上面視Ｃ字状に形成されている。さらに、このストッパ３３の外周縁において通過孔３３ｂが開口した部分の、当該ストッパ３３の径方向で嵌合孔３３ａを挟んだ反対側、つまり本実施形態では、ストッパ３３の外周縁において補助孔３３ｃの終端３３ｄと対応する位置には、当該ストッパ３３の周方向に沿って延びる補強周壁３３ｆが連結されている。
【００２３】
また、通過孔３３ｂは、嵌合孔３３ａに連なる部分の幅が嵌合孔３３ａの直径よりも小さくされ、径方向外方に向かうに従い漸次幅広に形成されている。さらに、補助孔３３ｃの幅は、通過孔３３ｂにおいて嵌合孔３３ａに連なる部分の幅よりも小さくなっている。さらにまた、通過孔３３ｂおよび補助孔３３ｃの各幅方向中央部と、嵌合孔３３ａの径方向中央部とはストッパ３３の上面視で同一直線上に位置している。また、ストッパ３３の外周縁部には、貫通孔３３ｅが周方向に間隔をあけて複数形成されている。ここで、補強周壁３３ｆの上下方向における大きさは、ストッパ３３の上下方向における大きさ、つまり厚さよりも大きくなっており、この補強周壁３３ｆの、ストッパ３３からの上方および下方に向けた各突出量は同等になっている。
【００２４】
ここで、本実施形態では、ガイド筒部１９の上部は支持板３１の上面よりも上方に位置しており、このガイド筒部１９の上部における上端部に、リング部材３５が嵌合された前記第１環状凹部が形成されている。そして、ガイド筒部の上部において前記第１環状凹部に下方で連なる部分の外周面が、前述のストッパ３３の嵌合孔３３ａ内に離脱可能に嵌合されている。
【００２５】
さらに、本実施形態では、被挟持筒部３０において第２天壁部１７に連なる下端部に貫通孔３４が形成されている。図示の例では、貫通孔３４は、被挟持筒部３０の下端部にその周方向に間隔をあけて複数形成されるとともに、第２天壁部１７の上面は、その径方向中央部側から外側に向かうに従い漸次下方に向けて傾斜している。なお、貫通孔３４は、被挟持筒部３０の側面視で、上下方向に長い長方形状を呈している。
【００２６】
以上説明したように本実施形態に係る吐出器１０によれば、装着キャップ２０の第２天壁部１７に被挟持筒部３０が立設されるとともに、この被挟持筒部３０の上端に径方向外方に向けて支持板３１が突設されているので、例えば一方の手のひらをノズル孔１２の開口部にその下側から添えつつ、その手の中指と人指し指、または薬指と中指等で被挟持筒部３０をその径方向に挟み込んだ状態で、この手を上昇させると、前記中指と人指し指、または薬指と中指等により支持板３１がその下面側から支持されることによって、当該吐出器１０の装着された容器体を持ち上げることが可能になる。さらにこの状態で、前記一方の手の親指で押下ヘッドを押し下げることにより、ノズル孔から吐出された容器体内の液体を前記一方の手のひらで受け止めることが可能になる。
以上より、片手だけを用いて押下ヘッドを押し下げかつノズル孔から吐出された液体を受けることができる。
【００２７】
さらに、被挟持筒部３０が装着周壁部１８よりも小径に形成され、この被挟持筒部３０の上端に支持板３１が設けられているので、支持板３１が装着周壁部１８よりも径方向外側に大きく出っ張るのを抑えることが可能になり、前述の作用効果を奏する吐出器１０の取り扱い性が低下するのを防ぐことができる。
さらにまた、被挟持筒部３０が装着周壁部１８よりも小径に形成されていることから、需要者の手の大小を問わず、前述のようにして中指と人指し指、または薬指と中指等で被挟持筒部３０をその径方向に強固かつ確実に挟み込むことが可能になる。
【００２８】
また、押下ヘッド１５およびステム１１がその上昇端位置に位置した状態で、囲繞筒部２７の下端縁が支持板３１よりも上方に位置するとともに、支持板３１の上面にストッパ３３が離脱可能に配置され、このストッパ３３の上面に囲繞筒部２７の下端縁が当接しているので、需要者が容器体内の液体を使用する前の段階で、押下ヘッド１５に下方に向けた外力が作用しても、この押下ヘッド１５における囲繞筒部２７の下端縁をストッパ３３の上面に当接させることが可能になり、この押下ヘッド１５が不用意に押し下げられ液体が吐出されるのを防ぐことができる。
しかも、ストッパ３３が板状に形成されているので、このストッパ３３を設けたことにより吐出器１０全体の上下方向における長さが大きくなるのを抑制することができる。
【００２９】
さらに、本実施形態では、押下ヘッド１５およびステム１１がその上昇端位置に位置した状態で、ガイド筒部１９の上端部外周面に設けられたリング部材３５が、囲繞筒部２７の下端部内周面に設けられた筒部材３２に近接若しくは当接しているので、ガイド筒部１９と囲繞筒部２７との間を通して外部から例えば水等が侵入するのを抑制することが可能になる。ここで、例えばリング部材３５および筒部材３２のうちの少なくとも一方をゴム状弾性体で形成し、他方に当接させると、この効果が確実に奏功されることになる。
また、ストッパ３３の嵌合孔３３ａに、ガイド筒部１９の上部において囲繞筒部２７の下端部内周面に設けられた筒部材３２と近接若しくは当接した上端部よりも下方に位置する部分の外周面が離脱可能に嵌合されているので、このストッパ３３を支持板３１の上面にぐらつかせることなく安定して配置することが可能になり、需要者が容器体内の液体を使用する前の段階で、不用意にストッパ３３が吐出器１０から外れるのを防ぐことができる。
【００３０】
また、板状に形成されたストッパ３３に嵌合孔３３ａおよび通過孔３３ｂが形成されているので、このストッパ３３をガイド筒部１９に対して容易に着脱することができる。さらに本実施形態では、ストッパ３３に補助孔３３ｃが形成されているので、ストッパ３３のガイド筒部１９への着脱をより一層容易に行うことができる。さらにまた、ストッパ３３に複数の貫通孔３３ｅが形成されているので、このストッパ３３を形成するのに用いる材料の量を低減することも可能になる。
さらに、ストッパ３３の外周縁において補助孔３３ｃの終端３３ｄと対応する位置に、当該ストッパ３３の周方向に沿って延びる補強周壁３３ｆが連結されているので、この補強周壁３３ｆをつまんでストッパ３３をガイド筒部１９の外周面に対して進退移動させることによって、当該ストッパ３３の着脱を容易に行うことが可能になる。
以上より、操作性の優れたストッパ３３が得られる。
【００３１】
また、本実施形態では、第２天壁部１７、装着周壁部１８、ガイド筒部１９、被挟持筒部３０および支持板３１が一体に形成されているので、この吐出器１０が高コストになるのを抑えることができる。
さらに、被挟持筒部３０において第２天壁部１７に連なる下端部に貫通孔３４が形成されているので、被挟持筒部３０に支持板３１を設けたことにより、この支持板３１の上面を介して、装着キャップ２０において第２天壁部１７、ガイド筒部１９および被挟持筒部３０で画成された空間内に例えば水等が侵入し易くなったとしても、この侵入物を貫通孔３４を通して外部に排出し易くすることが可能になる。また、このように貫通孔３４が形成されていることから装着キャップ２０を形成する材料の使用量を低減することも可能になる。
【００３２】
また、本実施形態では、この貫通孔３４が被挟持筒部３０の下端部にその周方向に間隔をあけて複数形成されるとともに、第２天壁部１７の上面が、その径方向中央部側から外側に向かうに従い漸次下方に向けて傾斜しているので、前述の侵入物を確実に前記空間内から外部に排出し易くすることができる。
さらに、前述のように第２天壁部１７、装着周壁部１８、ガイド筒部１９、被挟持筒部３０および支持板３１が一体に形成されるとともに、リング部材３５がガイド筒部１９の上端部外周面に嵌合されてガイド筒部１９と一体に形成されていないので、装着キャップ２０を金型内に樹脂を供給して成形する場合に、この金型の構造が複雑になるのを防ぐことができる。
【００３３】
また、本実施形態では、吐出器１０が、液用ピストン２１および液用シリンダ２２のみならず空気用ピストン２３および空気用シリンダ２４をも備えているので、装着キャップ２０の装着周壁部１８を大径にしなければならないため、前述の作用効果のうち、支持板３１の出っ張り量を抑える効果、および需要者の手の大小を問わず中指と人指し指、薬指と中指等で被挟持筒部３０をその径方向に強固かつ確実に挟み込ませる効果が顕著に奏功されることになる。
【００３４】
さらに、本実施形態では、補強周壁３３ｆの、ストッパ３３からの上方および下方に向けた各突出量が同等になっているので、ストッパ３３を吐出器１０に装着するに際し、このストッパ３３の上下面を確認して必要に応じて裏返す手間を省くことが可能になり、ストッパ３３を備えたことによってこの吐出器１０の組み立て時間が長くのを防ぐことができる。
【００３５】
また、本実施形態では、支持板３１が被挟持筒部３０の上端にその全周にわたって突設されているので、容器やノズル孔１２の周方向位置を支持板３１に対して合わせる必要がなくなり、組み立て時間が長くなるのを抑えることができるとともに、吐出器１０の操作性を向上することができ、さらに、ストッパ筒部３３を吐出器１０に装着する際にこのストッパ筒部３３の周方向位置を支持板３１に対して合わせる手間を省くことが可能になり、ストッパ筒部３３を備えたことによってこの吐出器１０の組み立て時間が長くのを確実に防ぐことができる。
【００３６】
なお、本発明の技術的範囲は前記実施の形態に限定されるものではなく、本発明の趣旨を逸脱しない範囲において種々の変更を加えることが可能である。
例えば、前記実施形態では、吐出器１０として、ノズル孔１２から泡状の液体を吐出するいわゆるフォーマポンプを示したが、これに代えて例えば、空気用ピストン２３、空気用シリンダ２４、気液混合室２５、および発泡部材２６等を有さず、液体を泡立たせずにノズル孔１２から吐出するポンプにも適用可能である。
さらにまた、液用ピストン２１および液用シリンダ２２を有するポンプ式の吐出器に代えて、例えば液用ピストン２１および液用シリンダ２２を有さない、いわゆるエアゾール式の吐出器においても適用可能である。
【００３７】
さらに、前記実施形態では、貫通孔３４を被挟持筒部３０に複数形成したが、１つだけ形成してもよいし、全く形成しなくてもよい。また、前記実施形態では、第２天壁部１７の上面を、その径方向中央部側から外側に向かうに従い漸次下方に向けて傾斜させたが、上下方向に直交する方向に延びる平坦面としてもよい。さらに、前記実施形態では、第２天壁部１７、装着周壁部１８、ガイド筒部１９、被挟持筒部３０および支持板３１を一体に形成したが、それぞれ別体に形成してもよい。
また、ガイド筒部１９にリング部材３５を嵌合させて、これら１９、３５を別部材とした構成を示したが、一体に形成してもよい。さらにまた、環状凸部２８を有しない押下ヘッド１５を採用してもよい。また、囲繞筒部２７の下端部内周面に筒部材３２を設けたが、この筒部材３２を設けなくてもよい。さらに、囲繞筒部２７と筒部材３２とを一体に形成してもよい。
【００３８】
また、前記実施形態では、支持板３１として、フランジ状に形成されて被挟持筒部３０の上端にその全周にわたって突設された構成を示したが、１枚若しくは周方向に間隔をあけて配置された複数枚の支持板を採用してもよい。この構成においては、装着キャップ２０と押下ヘッド１５との間に押下ヘッド１５の装着キャップ２０に対する軸線回りの回転を防止する回転防止手段を設けた上で、支持板が少なくとも、吐出器１０の上面視においてノズル孔１２の配置位置から吐出器の軸線を中心に右回りおよび左回りにそれぞれ９０°ずつ離れた各位置に配置されていればよい。
【００３９】
さらに、前記実施形態では、支持板３１を水平方向に沿って延在させたが、これに代えて例えば、挟持筒部３０の上端から径方向外方に向かうに従い漸次上方に向けて傾斜させてもよいし、あるいは挟持筒部３０の上端から径方向外方に向かうに従い漸次下方に向けて傾斜させてもよい。
【００４０】
また、前記実施形態では、ストッパ３３の外周縁部に複数の貫通孔３３ｅを形成したが、これらの貫通孔３３ｅは形成しなくてもよい。さらに、ストッパ３３に補助孔３３ｃを形成しなくてもよい。さらにまた、通過孔３３ｂを形成するのに代えて、例えば破断線を形成してもよい。また、前記実施形態では、ストッパ３３の外周縁に補強周壁３３ｆを設けたが、この補強周壁３３ｆは設けなくてもよい。
【００４１】
さらに、前記実施形態では、ストッパ３３の嵌合孔３３ａ内に、ガイド筒部１９を嵌合させたが、これに代えて例えば、このガイド筒部１９の上端縁を支持板３１の上面よりも下方に位置させて、嵌合筒部１４を嵌合させるようにしてもよいし、さらに嵌合筒部１４の下端縁を支持板３１の上面よりも上方に位置させて、ステム１１を嵌合させるようにしてもよい。
さらにまた、前記実施形態では、ストッパ３３の上面に囲繞筒部２７の下端縁が筒部材３２を介して当接した構成を示したが、これらの間に隙間を設けて互いに対向させるようにしてもよいし、あるいは囲繞筒部２７の下端縁を筒部材３２で覆わずに、囲繞筒部２７の下端縁を直接ストッパ３３の上面に当接させてもよい。
また、前記実施形態では、ストッパ３３に嵌合孔３３ａを形成したが、この嵌合孔３３ａを有さず、例えば支持板３１の上面に剥離可能に貼着された板状のストッパを採用してもよい。さらに、ガイド筒部１９は設けなくてもよい。
【産業上の利用可能性】
【００４２】
支持板の出っ張り量を抑えつつ、片手だけを用いて押下ヘッドを押し下げかつノズル孔から吐出された液体を受けることができるとともに、吐出器の上下方向における長さが大きくなるのを抑制しつつ、需要者が容器体内の液体を使用する前の段階で、例えば押下ヘッドが不用意に押し下げられる等して液体が吐出されるのを防止することができる。
【図面の簡単な説明】
【００４３】
【図１】本発明に係る一実施形態として示した吐出器を示す一部縦断面図である。
【図２】図１に示す吐出器の上面図である。
【符号の説明】
【００４４】
１０  吐出器
１１  ステム
１２  ノズル孔
１３  第１天壁部
１４  嵌合筒部
１５  押下ヘッド
１７  第２天壁部
１８  装着周壁部
１９  ガイド筒部
１９ａ  挿通孔
２０  装着キャップ
２１  液用ピストン
２２  液用シリンダ
２３  空気用ピストン
２４  空気用シリンダ
２５  気液混合室
２６  発泡部材
２７  囲繞筒部
３０  被挟持筒部
３１  支持板
３２  筒部材（囲繞筒部の下端部における内側）
３３  ストッパ
３３ａ  嵌合孔
３３ｂ  通過孔
３３ｆ  補強周壁
３４  貫通孔
３５  リング部材（ガイド筒部の上端部における外側）
【図１】
0005011037.tif 000002
【図２】
0005011037.tif 000003